(57)【要約】【課題】  筋力の弱い障害者、および、手の不自由な高齢者が、コンピュータのマウス操作でダブルクリック、および、ドラッグの操作を行う場合、作業が煩雑になり容易に行えないという問題があった。【解決手段】  本発明のダブルクリック・ドラッグイベントの制御装置１では、ダブルクリックボタン３、およびドラッグボタン２を独自に設け、ボタンを１回クリックおよび接触することで操作できる。また、取り外し可能な固定手段６を設けているため、各使用者の利き手および手の動作可能範囲を考慮し設置できる。これにより、筋力の弱い障害者、および、手の不自由な高齢者でも、容易にコンピュータの操作ができるものである。【選択図】図１
2005234842.tif 000002
【特許請求の範囲】
【請求項１】
コンピュータのマウス操作を容易に行える制御装置であって、独立したドラッグボタンと、独立したダブルクリックボタンと、各装置の制御およびデータの加工・計算を行うＣＰＵと、キーボードやマウス等周辺機器とパーソナルコンピュータを結ぶデータ伝送路と、前記ドラッグボタンおよび前記ダブルクリックボタンを周辺機器およびパーソナルコンピュータ上やその近傍に取着する取り外し可能な固定手段とで構成されることを特徴とするダブルクリック・ドラッグイベント制御装置。
【請求項２】
前記ドラッグボタンおよび前記ダブルクリックボタンは、動作時にマウスが動いても誤動作とならず、正規の信号をパーソナルコンピュータに伝えられることを特徴とする請求項１に記載のダブルクリック・ドラッグイベント制御装置。
【請求項３】
前記ドラッグボタンは、１回押下または接触後にマウスを移動またはスライドパッドに接触することでドラッグ操作を行えることを特徴とする請求項１に記載のダブルクリック・ドラッグイベント制御装置。
【請求項４】
前記取り外し可能な固定手段により、使用者の手の行動可能範囲および利き手に合わせて配置することを特徴とする請求項１に記載のダブルクリック・ドラッグイベント制御装置。
【請求項５】
前記ドラッグボタンおよび前記ダブルクリックボタンはそれぞれマットの右半分または左半分、および上半分または下半分に配置されていることを特徴とする請求項１から４のいずれかに記載のダブルクリック・ドラッグイベント制御装置。
【請求項６】
前記ドラッグボタンおよび前記ダブルクリックボタンをクリックまたは接触することで出力されるデータは、インターフェースユニットを介して、前記ＣＰＵにデータを取り込み、変換を行い、前記伝送路に出力されることを特徴とするダブルクリック・ドラッグイベント制御装置。
【発明の詳細な説明】
【技術分野】
【０００１】
本発明は、コンピュータのマウス操作、特に、ダブルクリック、および、ドラック操作を容易にしたダブルクリック・ドラックイベント制御装置に関するものである。
【背景技術】
【０００２】
従来のコンピュータにおけるマウス操作に、マウスボタンを押し、マウスを止めたまま素早く離す動作、すなわち、クリックと、クリックを素早く連続して２回行う動作、すなわち、ダブルクリックと、画面上でマウスポインタがウィンドウの枠やファイルのアイコンなどに重なった状態でマウスボタンを押し、そのままの状態でマウスを移動させる動作、すなわち、ドラッグ等がある。
【０００３】
これらの操作を行う際、筋力の弱い障害者および高齢で手が不自由な人達には、煩雑な動作となるため、操作を容易にできる制御装置を改良されることが望まれている。
【０００４】
たとえば、ダブルクリックをする際にマウスが移動して誤動作となる問題を解決するために、マウスの動きに対する検出部にダイオードを取り付けた補助スイッチを設けて、ダブルクリック動作時に補助スイッチを押すことにより、マウスが動いても誤動作にならないマウスがある。しかしこのマウスでは短時間にダブルクリックしなければならず、ドラック操作も改良されていない。
【特許文献１】特開平９−２９７６５５号公報
【発明の開示】
【発明が解決しようとする課題】
【０００５】
しかしながら、従来のコンピュータのマウス操作では、ダブルクリックを行う際に、第１のクリックと第２のクリック間に、時間間隔が開きすぎたり、カーソル位置が移動したりすることにより、誤動作と認識され正しくアプリケーションを開始させることができないという問題点があった。
【０００６】
また、ドラッグを行う際に、クリックの回数による制御や、ダブルクリックと区別するためのクリックする時間の制約を設けているため、正しく操作できないという問題点があった。
【０００７】
また、各ユーザで利き手や動作範囲は異なるが、各々にあった制御装置を作成するには多大なコストがかかってしまうため、各ユーザにあった制御装置を用意することができないという問題点があった。
【課題を解決するための手段】
【０００８】
本発明は、上述した問題点に鑑みて為されたものであり、コンピュータのマウス操作を容易に行える制御装置であって、独立したドラッグボタンと、独立したダブルクリックボタンと、各装置の制御およびデータの加工・計算を行うＣＰＵと、キーボードやマウス等周辺機器とパーソナルコンピュータを結ぶデータ伝送路と、前記ドラッグボタンおよび前記ダブルクリックボタンを周辺機器およびパーソナルコンピュータに取着する取り外し可能な固定手段とで構成されることを特徴とする。
【０００９】
本発明ではダブルクリックボタンを独立させて、ダブルクリックボタンを１回クリックすることで操作が可能となるので、第１のクリックと第２のクリック間の時間的制約、およびカーソル位置の移動による誤動作の認識を受けずに操作することができる。
【００１０】
また、本発明ではドラッグボタンについても、ダブルクリックボタン同様に独立させて、ドラッグボタンを１回クリックすることでドラック操作を可能とし、もう１度ドラッグボタンをクリックすると解除することができるので、筋力の弱い障害者や高齢者にも容易に操作を行うことができる。
【００１１】
また、本発明ではダブルクリックボタン、および、ドラッグボタンの支持材の裏面に取り外し可能な固定手段を備え、これらをＵＳＢ等の規格を用いて接続する装置であるので、各ユーザの利き手や手の動作範囲に応じて、マウス、およびコンピュータの一部に、ダブルクリックボタン、およびドラッグボタンを取り付けられるので極めて簡単に利用できる。
【発明の効果】
【００１２】
上述したように、本発明のダブルクリック・ドラッグイベント制御装置では、１回のボタンクリックで、ダブルクリック操作、および、ドラッグ操作を行うことができる。これにより、筋力の弱い障害者や高齢者でも容易にコンピュータ操作を行うことができる。
【００１３】
また、同制御装置では、ダブルクリックボタン、およびドラッグボタンの取り外しが何度でもできるため、各ユーザの利き手および手の動作可能範囲に合わせてマウス、およびコンピュータの一部あるいは近傍に自在に取り付けられ、またこの装置だけを持ち運びすることにより、市販のパーソナルコンピュータにも取り付けでき、専用のパーソナルコンピュータを持ち運びする必要はなくなった。
【発明を実施するための最良の形態】
【００１４】
以下に、本発明における実施の形態について、図１〜図６を参照にして詳細に説明する。
【実施例１】
【００１５】
図１は、本発明の一実施の形態であるダブルクリック・ドラッグイベント制御装置を説明する（Ａ）上方から見た概略図、（Ｂ）底面から見た概略図、（Ｃ）斜め上方から見た概略図である。
【００１６】
図１（Ａ）（Ｂ）（Ｃ）に示す如く、本発明のダブルクリック・ドラッグイベント制御装置１は、マット等の支持材の上にドラッグボタン２およびダブルクリックボタン３からなるボタン操作部、ＣＰＵ４、ＵＳＢ５、取り外し可能な固定手段６から構成される。なお、インターフェースはＵＳＢ５の代わりに、ＰＳ／２ポートを用いてもよい。
【００１７】
ドラッグボタン２は、独立した膜スイッチあるいはタッチスイッチ等で形成され、マットの左半分側に配置されている。動作的にはボタンを１回クリックまたは接触することで、ドラッグ動作を可能とし、解除する場合は、もう１回クリックまたは接触をする。なお、一例としてマットの左半分側に配置しているが、ドラッグボタンはマットの右半分側または上半分側または下半分側に配置しても良い。また、ドラッグボタン２を３回連続して押下または接触すると、「動作有効、動作無効、動作有効」となるため有効信号が２回送られることとなり、コンピュータがダブルクリック動作と判断し、ダブルクリックボタン３を１回クリックまたは接触した時と同じ動作となる。
【００１８】
ダブルクリックボタン３はドラッグボタン２と同様に独立した膜スイッチあるいはタッチスイッチ等で形成され、マットの右半分側に配置されている。動作的にはボタンを１回クリックまたは接触することで、ダブルクリック動作を可能とする。なお、一例としてマットの右半分側に配置しているが、ドラッグボタンはマットの左半分側または上半分側または下半分側に配置しても良い。
【００１９】
ＣＰＵ４は、各装置の制御やデータの計算・加工を行う中枢部分で、メモリに記憶されたプログラムを実行する装置である。入力装置や記憶装置からデータを受け取り、演算・加工した上で、出力装置や記憶装置に出力する。具体的には、ドラッグボタン２あるいはダブルクリックボタン３を押下した際にこのＣＰＵ４からパーソナルコンピュータの本体に認識できるドラッグ信号あるいはダブルクリック信号を生成して伝える。
【００２０】
また同制御装置のＣＰＵ４への電源供給は、パーソナルコンピュータ本体からの供給、または専用の小型変圧器を用いてＡＣコンセントから供給を行っている。
【００２１】
ＵＳＢ５は、キーボードやマウス等といった周辺機器とパ−ソナルコンピュータ（以下、パソコンと呼ぶ）を結ぶデータ伝送路の企画のひとつである。ドラッグボタン２およびダブルクリックボタン３をクリックすると、ＣＰＵ内のプログラムで処理された各々の信号が、ＵＳＢ５等のインターフェースを経由してパソコンへと出力される。また、マットとＵＳＢ５は、ＵＳＢケーブルで接続されている。
【００２２】
取り外し可能な固定手段６は、マットの裏面に配置されており、マウスやコンピュータ等に同制御装置の取り外しを自在にするために使われる。具体的には、マジックテープや粘着テープ等が用いられる。
【００２３】
次に、図２を用いて同制御装置の使用方法について、マウスに設置する場合を例に更に説明する。図２（Ａ）は、マウスの側面に貼り付けて利用した図で、図２（Ｂ）は、上面に貼り付けて利用した図である。
【００２４】
図２（Ａ）（Ｂ）に示す如く、例えばマウス７は右ボタン８、左ボタン９、スクロールボタン１０を備えている。
【００２５】
右ボタン８は、カーソルが指しているアイコンまたは画面のプロパティメニューを表示することができる。
【００２６】
左ボタン９は、カーソルが指しているアイコンまたは画面を選択することができる。
【００２７】
スクロールボタン１０は、ウィンドウの右端、下端に表示されるスクロールバーにマウスカーソルをあわせ、スクロールボタンを前後に動かすことで画面のスクロールができる。
【００２８】
そして、使用者が右利きの場合は図２（Ａ）に示す如く、マウスの左側面に同制御装置を貼り付けて利用し、右手の親指でドラッグボタン２あるいはダブルクリックボタン３を押下または接触して用いる。また、使用者が左利きの場合は同様に、マウスの右側面に同制御装置を貼り付けて左手の親指でドラッグボタン２あるいはダブルクリックボタン３を押下または接触して用いる。ＵＳＢはマウスに設けて接続端子に差し込み、パソコン本体から伸びているマウスのコードを利用すると良い。更に、親指が不自由な場合は図２（Ｂ）に示すようにマウスの上面に貼り付けて良く、各ユーザが使いやすい個所に同制御装置を貼り付け利用できる。
【００２９】
次に、図３を用いて同制御装置の使用方法について、ノート型パーソナルコンピュータ（以下、ノートパソコンと呼ぶ）に設置する場合を例に更に説明する。図３では、右利きの使用者が利用するときはスライドパッドの左側に実線で示すように、左利きの使用者が利用するときはスライドパッドの右側に点線で示すようにこの制御装置を貼り付けて固定する。
【００３０】
図３に示す如く、ノートパソコン１１は、例えば、蓋部内側の上方中央にディスプレイ１７、キーボード１８、スライドパッド１２、右ボタン８、左ボタン９等で構成されている。
【００３１】
スライドパッド１２は、入力装置の一つで、画面上での入力位置や座標を指定する。使用者は、平らなパッドを指でこすり、画面上の対応するカーソルを動かしコンピュータの操作を行うことができるため、ドラッグ動作や、カーソルを移動する場合に利用する。
【００３２】
そして、使用者が右利きの場合はスライドパッド１２の左側にある空白個所に同制御装置を貼り付けて利用し、使用者が左利きの場合はスライドパッド１２の右側にある空白個所に同制御装置を貼り付けて利用することができる。すなわち、制御装置のドラッグボタン２あるいはダブルクリックボタン３を押下または接触した後にスライドパッド１２でカーソルを移動させる。
【実施例２】
【００３３】
図４は、同制御装置を内蔵するポインティングデバイス装置の（Ａ）上方から見た概略図、（Ｂ）左方から見た概略図、（Ｃ）正面から見た概略図、（Ｄ）背面から見た概略図である。
【００３４】
図４に示す如く、ポインティングデバイス装置１３は、右ボタン、左ボタン、ドラッグボタン２、ダブルクリックボタン３から成るボタン操作部、スライドパッド、動作状態を表すＬＥＤ１、ＬＥＤ２、ＬＥＤ３、ＬＥＤ４から成るＬＥＤ部１４から構成されている
。すべての要素が組み込まれているのが特徴であり、使い易いが大型になる欠点がある。
【００３５】
スライドパッドは、四角い形状で本体の中央上部付近に配置されており、右ボタンおよび、左ボタンはスライドパッドの左方上部に横列に配置されており、ドラッグボタン２および、ダブルクリックボタン３は、スライドパッドの左方下部に横列に配置されている。
【００３６】
また、動作状況を点灯して報せるＬＥＤ部１４は、本体の右方上部に横列に配置されている。ＬＥＤ１はパソコンと接続された場合に点灯し、ＬＥＤ２はドラッグモード時に点灯し、ＬＥＤ３は右ボタン操作可能時に点灯し、ＬＥＤ４は左ボタン操作可能時に点灯する。ユーザは、ＬＥＤ部の点灯個所により現在どの動作状況となっているのかを判断できる。
【００３７】
そして、ポインティングデバイス装置１３は、マウス７に変わって利用することができる。
【００３８】
次に、図５を用いてポインティングデバイス装置の装置構成について説明する。
【００３９】
図５に示す如く、ＵＳＢインターフェース、ＣＰＵとＵＳＢからなる制御部４、インターフェースユニット１５、ＬＥＤ１４、スライドパッド１２、右ボタン８および左ボタン９、ドラッグボタン２およびダブルクリックボタン３からなる。
【００４０】
インターフェースとは、二つのものの間に立って、情報のやり取りを仲介するもの、および規格をいう。インターフェースユニット１５は、ダブルクリックおよびドラッグおよびその他の作業との整合性をとっている。
【００４１】
そしてスライドパッドの操作によるポインターのデータは、インターフェースユニット１５を介して、制御部のＣＰＵのＩ／Ｏよりデータを取り込み、ＵＳＢ変換を行い出力される。また、右ボタンおよび左ボタン、および、ダブルクリックボタンおよびドラッグボタンをクリックし出力されるデータも同様に、インターフェースユニット１５を介して、制御部のＣＰＵのＩ／Ｏよりデータを取り込み、ＵＳＢ変換を行い各動作イベントが出力される。また、ＣＰＵ内のプログラムによる演算処理結果が、インターフェースユニット１５を介して出力され、対応する動作状態のＬＥＤが点灯する。
【実施例３】
【００４２】
図６は、同制御装置をテンキーパッドに配置する場合を説明する概略図である。
【００４３】
図６に示す如く、テンキーパッド１６は、テンキー、ドラッグボタン２、ダブルクリックボタン３から構成される。
【００４４】
テンキーパッド１６は、数字入力専用の小型キーボードで、製品におけるスペースの制約上、０〜９の数字および＋、−の記号等からなるテンキーを搭載できないノートパソコンなどに接続して利用するものである。
【００４５】
そして、ドラッグボタン２、ダブルクリックボタン３は、テンキーパッド１６の上面に横に並べて配置されている。配置は自由であり、テンキーパッド１６の側面や、その近傍のテンキーパッド１６を置いた机の上でも良い。
【図面の簡単な説明】
【００４６】
【図１】本発明の一実施の形態であるダブルクリック・ドラッグイベント制御装置を説明する（Ａ）上方から見た概略図、（Ｂ）底面から見た概略図、（Ｃ）斜め上方からみた概略図である。
【図２】本発明の一実施の形態であるダブルクリック・ドラッグイベント制御装置をマウスに設置した例を説明する図で、（Ａ）側面に貼り付けて利用した図、（Ｂ）上面に貼り付けて利用した図である。
【図３】本発明の一実施の形態であるダブルクリック・ドラッグイベント制御装置をノート型パーソナルコンピュータに設置した例を説明する図である。
【図４】本発明の一実施の形態であるダブルクリック・ドラッグイベント制御装置を内蔵するポインティングデバイスの（Ａ）上方からみた概略図、（Ｂ）左方から見た概略図、（Ｃ）正面から見た概略図、（Ｄ）背面から見た概略図である。
【図５】本発明の一実施の形態であるダブルクリック・ドラッグイベント制御装置における装置構成を説明するブロック図である。
【図６】本発明の一実施の形態であるダブルクリック・ドラッグイベント制御装置をテンキーパッドに配置した場合を説明する概略図である。
【符号の説明】
【００４７】
１      ダブルクリック・ドラッグイベントの制御装置
２      ドラッグボタン
３      ダブルクリックボタン
４      ＣＰＵ
５      ＵＳＢ
６      取り外し可能な固定手段
７      マウス
８      右ボタン
９      左ボタン
１０      スクロールボタン
１１      ノート型パーソナルコンピュータ
１２      スライドパッド
１３      ポインティングデバイス装置
１４      ＬＥＤ部
１５      インターフェースユニット
１６      テンキーパッド
１７      ディスプレイ
１８      キーボード
【図１】
2005234842.tif 000003
【図２】
2005234842.tif 000004
【図３】
2005234842.tif 000005
【図４】
2005234842.tif 000006
【図５】
2005234842.tif 000007
【図６】
2005234842.tif 000008